(57)【特許請求の範囲】
【請求項１】
湿式塗装ブース循環水に塗料ミストが取り込まれてなる塗料滓を除去する方法であって、水を原料としてイオン化させた水にメタケイ酸ナトリウムを添加したアルカリイオン水性洗浄剤を湿式塗装ブースの循環水に含有させた状態で循環ポンプを稼働させ、ベンチュリーの機能によって循環水中に超微粒子化した気泡を発生させ、該気泡により塗料滓を溶剤と不粘着化した塗料クズとに個別に気泡分離させて液面へと浮上分離させることを含む、塗料滓の除去方法。
【請求項２】
塗装前処理として被塗装物の脱脂洗浄工程に使用された前記アルカリイオン水性洗浄剤の廃液を湿式塗装ブースの循環水槽内に再利用することを含む、請求項１記載の方法。
【請求項３】
浮上分離して発生した溶剤と不粘着化した塗料クズを回収することをさらに含む請求項１又は２記載の方法。
【請求項４】
溶剤と不粘着化した塗料クズとを液面へと個別に浮上分離させて回収し浄化された循環水に対し、微生物による生分解処理を行ない、循環水中の有機物質含量を低減させることをさらに含む、請求項３記載の方法。
【発明の詳細な説明】
【技術分野】
【０００１】本発明は、湿式塗装ブースにおける塗装工程で、湿式塗装ブース内の循環水に塗料ミストが取り込まれてなる塗料滓を、アルカリイオン水性洗浄剤（特願２００８−１５５９５３）固有のきめ細かな気泡を湿式塗装ブースのベンチュリーの機能によって超微粒子化した気泡で溶剤と不粘着化させた塗料クズを液面へと個別に浮上分離させて、溶剤と不粘着化した塗料クズとを別々に回収する塗料滓の浮上分離浄化方法と浄化された循環水を有機物の分解能力に優れたバイオ生剤マイクローブ用いてヘキサン値、ＢＯＤ値、ＣＯＤ値などを生分解処理させて排水する方法に関する。
【背景技術】
【０００２】従来は、各種金属製品、樹脂製品などに水を使う湿式塗装ブースが各業界分野で多く用いられているが、湿式塗装ブース内の循環水に塗料ミストが取り込まれる。塗料ミストは循環水槽に設けられた回収槽に集められるが、それが循環水槽内の底に沈殿するために定期的な清掃を強いられ清掃費が甚大になっていた。そこで塗装ミストの処理方法に関してこれまでに強アルカリ性洗剤、界面活性剤、凝集剤及びマイクロバブル発生装置などを用いて塗装ミストの粘着性をなくして液面へ浮上させて回収してきた。【０００３】
【特許文献１】特開２００４−２２３４９２号公報（１０頁）
【発明が解決しようとする課題】
【０００４】しかるに、特許文献１などのような従来の塗料ミストの浮上分離方法では、塗料滓に比重の小さな微粒子を接触付着させて積極的に且つ確実に塗料滓の液面への浮上を促し、塗料滓を効率的に回収分離できるようにした浮上分離方法と塗料滓の粘着性をなくすために界面活性剤又はその含有液で湿潤させた気泡を浮上分離方法であるが、微粒子の径がマイクロメートル（μｍ）からナノメートル（ｎｍ）の気泡を発生させる装置などを用いて浮上分離させる方法では、湿式塗装ブースの循環水槽内に気泡を発生させる装置の設置や塗料滓の粘着性をなくすための界面活性剤又はその含有液の使用や注入装置の設置などが必要となり、湿式塗装ブースの改造工事が発生してかなりの費用の負担が起こる。また、浮上分離させた後の塗料滓の回収方法や浄化方法などが明確化されていない。
【０００５】本発明は、上記問題点を解決するもので、単に湿式塗装ブースの循環水槽内にアルカリイオン水性洗浄剤（特願２００８−１５５９５３）の濃度が２％〜３％になるように注入することによって循環水に塗料ミストが取り込まれてなる塗料滓を、アルカリイオン水性洗浄剤（特願２００８−１５５９５３）固有のきめ細かな気泡を湿式塗装ブースのベンチュリーの機能によって超微粒子化した気泡で溶剤と不粘着化させた塗料クズとに気泡分離させて液面へと浮上分離させて溶剤と不粘着化した塗料クズを別々に回収する塗料滓の浮上分離回収浄化方法と浄化された循環水を有機物の分解能力に優れたバイオ生剤マイクローブを用いてヘキ値、ＢＯＤ値、ＣＯＤ値などを生分解処理させて排水する方法を提供することを目的とする。
【発明が解決するための手段】
【０００６】上記目的を達成すべく、請求項１に記載の発明の要旨は、水を原料としてイオン化させた水に少量のメタケイ酸ナトリウムを添加した製品アルカリイオン水性洗浄剤（特願２００８−１５５９５３）の特長である固有のきめ細かな気泡を湿式塗装ブースのベンチュリーの機能によって超微粒子化した気泡で塗料ミストを液面へと気泡分離させると共に強力な洗浄力とメタケイ酸ナトリウムの強力な防錆膜の働きによって湿式塗装ブース内の壁面、配管中、ベンチュリーブース内、排気ファンなどに付着した塗料ミストの洗浄及び再付着の防止を行うことができる。また、湿式塗装ブースの循環水槽内にアルカリイオン水性洗浄剤（特願２００８−１５５９５３）の濃度が２％〜３％になるように注入することによって循環水に塗料ミストが取り込まれてなる塗料滓を、アルカリイオン水性洗浄剤（特願２００８−１５５９５３）固有のきめ細かな気泡を湿式塗装ブースのベンチュリーの機能によって超微粒子化した気泡で溶剤と不粘着化した塗料クズとに個別に気泡分離させて液面へと浮上分離させる。
【０００７】請求項１の発明のごとく、請求項２は、塗装工程の前処理工程として脱脂洗浄工程に使用されているアルカリイオン水性洗浄剤（特願２００８−１５５９５３）の廃液を湿式塗装ブースの循環水槽内に再利用することによって請求項１と同等の作用を得る事ができる。請求項３のごとく、湿式塗装ブースの循環水に塗料ミストが取り込まれてなる塗料滓を、アルカリイオン水性洗浄剤（特願２００８−１５５９５３）固有のきめ細かな気泡を湿式塗装ブースのベンチュリーの機能によって超微粒子化した気泡で溶剤と不粘着化した塗料クズとに個別に気泡分離させて液面へと浮上分離させて溶剤は油水分離装置ユーテック（旭化成せんい（株）製）などで回収する方法と油吸着剤Ｃ−マット（（株）ユウホウ製）などを用いて溶剤の上に乗せ吸着させて回収する。また、不粘着化させた塗料クズは、スクリーン式固液分離装置（ツルミポンプ製）などの固液分離装置を用いて回収する。
請求項４のごとく、湿式塗装ブースの循環水として用いているアルカリイオン水性洗浄剤（特願２００８−１５５９５３）の成分中には、ヘキサン値、ＢＯＤ値、ＣＯＤ値などを全く含んでいないので浄化する循環水の水質に影響を及ぼす事なく溶剤と不粘着化した塗料クズとに個別に浮上分離回収し、浄化された循環水からは、カルボン酸といわれる有機酸を多く検出することができる。その内訳は蟻酸・酢酸・プロピオン酸・酪酸・乳酸・吉草酸等であるが、その発生原因の多くは塗料中に含まれる物質が循環水中で加水分解や有機酸発酵などにより生成されると考えられる。浄化された循環水の水質を分析した結果、ヘキサン値、ＢＯＤ値、ＣＯＤ値などが次第に悪化していく現象を図４のデーター１で判る。図５のデーター１−１では、循環水４００ｌを別タンクに引き抜き後に塗装前処理工程で使用されている脱脂用アルカリイオン水性洗浄剤（特願２００８−１５５９５３）の廃液４００ｌを循環水に補充し、引き抜いた循環水４００ｌを微生物生分解処理を２４時間行なったデーターである。図６のデーター１−２では、図５のデーター１−１の微生物生分解処理を更に７日間行なったデーターである。図７のデーター１−３では、循環水の原水と微生物生分解処理を７日間行なって水質浄化の低減度を比較したデーターである。又、１３ヶ月間に及んだこれらの試験データーから有機物の分解能力に優れたバイオ生剤マイクローブを用いて生分解処理すればヘキサン値、ＢＯＤ値、ＣＯＤ値を低減させて水質汚濁防止法などの放流水の水質基準をクリアーして下水道などに排出することができる事が判った。これらの事から、この浄化された循環水を一旦別タンクに一定量を引き抜いて有機物の分解能力に優れたバイオ生剤マイクローブを用いて生分解処理を２４時間〜７日間掛けて行うか、又は、既設の廃水処理設備に排出して有機物の分解能力に優れたバイオ生剤マイクローブを用いて生分解処理行えばヘキサン値、ＢＯＤ値、ＣＯＤ値などを低減させて下水道などに排出することができる。
【発明の効果】
【０００８】以上のごとく、本発明により塗料滓をアルカリイオン水性洗浄剤（特願２００８−１５５９５３）固有のきめ細かな気泡を湿式塗装ブースのベンチュリーの機能によって超微粒子化した気泡で溶剤と不粘着化させた塗料クズとに個別に分離させて液面へと浮上分離させることによって、塗料滓を効率良く回収できる。また、浄化された循環水は一旦別タンクに一定量を引き抜いて有機物の分解能力に優れたバイオ生剤マイクローブ微生物を用いてヘキサン値、ＢＯＤ値、ＣＯＤ値などを生分解処理する事ができるので水質基準をクリアーさせて放流水を下水道などに排出することができる一体型の湿式塗装ブース循環水の浄化システムが提供され、低コストで、しかも地球温暖化対策など環境への負荷を大幅に低減することが可能となり極めて有益となる。
【発明を実施するための最良の形態】
【０００９】以下、塗料滓をアルカリイオン水性洗浄剤（特願２００８−１５５９５３）固有のきめ細かな気泡を湿式塗装ブースのベンチュリーの機能によって超微粒子化した気泡で溶剤と不粘着化させた塗料クズと個別に分離させて液面へと浮上分離浄化方法とその回収方法及び微生物を用いてヘキサン値、ＢＯＤ値、ＣＯＤ値などを生分解処理して放流水の水質基準をクリアーさせて下水道などに排出する方法について詳述べする。
（１）実施形態１
湿式塗装ブースの循環水槽内にアルカリイオン水性洗浄剤（特願２００８−１５５９５３）の濃度が２％〜３％になるように注入することによって湿式塗装ブース備え付けの循環ポンプ１３を稼動させることでアルカリイオン水性洗浄剤（特願２００８−１５５９５３固有のきめ細かな気泡を湿式塗装ブースのベンチュリーの機能によって超微粒子化した気泡で塗料ミストをこの気泡に包み込み液面へと気泡分離させると共に強力な洗浄力とメタケイ酸ナトリウムの強力な防錆膜の働きによって湿式塗装ブース内の壁面、配管中、ベンチュリーブース内、排気ファンなどに付着した塗料ミストの洗浄及び再付着の防止をする。循環水に塗料ミストが取り込まれてなる塗料滓は、アルカリイオン水性洗浄剤（特願２００８−１５５９５３）固有のきめ細かな気泡を湿式塗装ブースのベンチュリーの機能によって超微粒子化した気泡で溶剤と不粘着化した塗料クズとに分かれるので個別に回収し浄化できる。【００１０】本発明の塗料滓をアルカリイオン水性洗浄剤（特願２００８−１５５９５３）固有のきめ細かな気泡を湿式塗装ブースのベンチュリーの機能によって超微粒子化した気泡で溶剤と不粘着化した塗料クズとに個別に浮上分離させた回収方法は例えば次のように行なわれる。不粘着化した塗料クズは、残飯の回収などに良く用いられているスクリーン式固液分離装置（ツルミポンプ製）などを循環水槽内１６Ａに設置して回収カゴ２３に集積させて回収する。【００１１】溶剤については、循環水槽内１６Ａに設置したスクリーン式固液分離装置（ツルミポンプ製）などで不粘着化した塗料クズを集積回収中にスクリーンバー１８の目から通過した溶剤を循環水槽内１７Ｂに浮上油回収フロート２４を設置し旭化成せんい（株）製（ユーテック）２７などの油水分離装置を用いて回収する方法と一般的に広範囲で認知されている油吸着材を使用する。例えば、Ｃ−マット（（株）ユウホウ製）などを用いて浮上している溶剤の上に乗せ吸着させて回収する。【００１２】浄化された循環水を一旦別タンクに一定量を引き抜いて有機物の分解能力に優れたバイオ生剤マイクローブを用いて生分解処理を２４時間〜７日間掛けて行うか、又は、既設の廃水処理設備に排出して有機物の分解能力に優れたバイオ生剤マイクローブを用いて生分解処理を行えばヘキサン値、ＢＯＤ値、ＣＯＤ値などを低減させて下水道などに排出することができる。
【産業上の利用可能性】
【００１３】本発明は、地球規模で問題化している環境対策をこれまで個別分野として扱われてきた浄化剤・回収方法・バイオ処理方法の一体型の湿式塗装ブース循環水の浄化システムを実現したものである。塗料滓の回収浄化をアルカリイオン水性洗浄剤（特願２００８−１５５９５３）固有のきめ細かな気泡を湿式塗装ブースのベンチュリーの機能によって超微粒子化した気泡で溶剤と不粘着化させた塗料クズとに個別に分離させて液面へと浮上分離させることによって、塗料滓を効率良く回収できる。又、浄化された循環水は有機物の分解能力に優れたバイオ生剤マイクローブ微生物を用いてヘキサン値、ＢＯＤ値、ＣＯＤ値などを生分解処理させる事ができるので下水道などに排出することができる。
【図面の簡単な説明】
【００１４】
【図１】実施形態１の塗料滓の浮上分離浄化方法で、それに使用する湿式塗装ブースの説明断面図である。
【図２】循環水槽内の塗料滓にアルカリイオン水性洗浄剤（特願２００８−１５５９５３）を注入し循環後に溶剤と不粘着化した塗料クズとに個別に浮上する様子を表した説明断面図である。
【図３】循環水槽内の塗料滓が溶剤と不粘着化した塗料クズとに個別に浮上分離し、その不粘着化した塗料クズを回収する一体型の湿式塗装ブース循環水の浄化システムの説明断面図である。
【図４】浄化された循環水からは、カルボン酸といわれる有機酸を多く検出することができる。その内訳は蟻酸・酢酸・プロピオン酸・酪酸・乳酸・吉草酸等であるが、その発生原因の多くは塗料中に含まれる物質が循環水中で加水分解や有機酸発酵などにより生成されると考えられる水質分析データー１である。
【図５】塗装前処理工程の脱脂洗浄工程に使用されているアルカリイオン水性洗浄剤（特願２００８−１５５９５３）の廃液を湿式塗装ブースの循環水槽内に再利用した循環水４００ｌを別タンクに引き抜き後に塗装前処理工程で使用されている脱脂用アルカリイオン水性洗浄剤（特願２００８−１５５９５３）の廃液４００ｌを循環水に補充し、引き抜いた循環水４００ｌを微生物生分解処理を２４時間行なった水質分析データー１−１である。
【図６】浮上分離させて溶剤と不粘着化した塗料クズとに個別に回収し浄化された循環水を図５のデーター１−１の微生物生分解処理を更に７日間行なったデーター１−２である。
【図７】循環水の原水と微生物生分解処理を７日間行なって水質浄化の低減度を比較したデーター１−３である。
【符号の説明】
【００１５】１  スプレーガン
２  塗料ミスト
３  排気ファン
４  散水スプレーノズル
５  ウォーターカーテン水
６  不粘着化した塗料クズ
７  溶剤
８  液面
９  微細な気泡
１０  被塗装物
１１  循環水槽
１２  フィルター
１３  循環ポンプ
１４  ベンチュリー
１５  仕切り板
１６  循環水槽  Ａ
１７  循環水槽  Ｂ
１８  スクリーンバー
１９  掻揚げ爪
２０  回転モーター
２１  走行チェーン
２２  架台
２３  塗料クズ回収カゴ
２４  浮上油回収フロート
２５  循環ポンプ
２６  プレフィルター
２７  油水分離装置
２８  電磁弁
２９  浄化液
３０  回収溶剤
【図１】
0004590481.tif 000002
【図２】
0004590481.tif 000003
【図３】
0004590481.tif 000004
【図４】
0004590481.tif 000005
【図５】
0004590481.tif 000006
【図６】
0004590481.tif 000007
【図７】
0004590481.tif 000008